(57)【要約】【課題】材料が段ボールであっても、蓋体のロックを容易に解除して、内容物を取り出すことができるワンタッチ開閉式の包装箱を提供する。【解決手段】箱本体１の前壁４から折り返したロック片１１を、蓋体２の前壁１６裏面に貼り付けた係止片１８に係合させて、蓋体２を閉止状態に保持する包装箱において、蓋体２の切欠部１９からロック片１１を露出させ、箱本体１の前壁４にロック片１１の両端から下方へ切込１２を入れると共に、その切込１２の下端間に基折線１３を入れ、ロック片１１の中間部から基折線１３へかけて縦方向の中折線１４を入れる。蓋体２の切欠部１９から露出したロック片１１を押圧すると、前壁４の切込１２間の部分と共にロック片１１が後傾して、ロック片１１と係止片１８との係合が解除される。【選択図】図３
2007008565.tif 000002
【特許請求の範囲】
【請求項１】
箱本体１の後部上端に蓋体２を開閉自在に連設し、箱本体１の前壁４から延出したロック片１１を手前に折り返し、蓋体２の前壁１６の裏面に係止片１８を貼り付け、蓋体２を箱本体１に被せるように閉じたとき、ロック片１１が反発力により係止片１８に係合し、蓋体２が閉止状態に保持される包装箱において、蓋体２の前壁１６からロック片１１を露出させ、箱本体１の前壁４にロック片１１の両端から下方へ切込１２を入れると共に、その切込１２の下端間に基折線１３を入れたことを特徴とする包装箱。
【請求項２】
請求項１に記載の包装箱において、ロック片１１の中間部から基折線１３へかけて縦方向の中折線１４を入れたことを特徴とする包装箱。
【請求項３】
請求項１又は２に記載の包装箱において、箱本体１の前壁４の高さを、ロック片１１の折返部で低くなるように設定したことを特徴とする包装箱。
【発明の詳細な説明】
【技術分野】
【０００１】
この発明は、商品の梱包に使用するワンタッチ開閉式の包装箱に関するものである。
【背景技術】
【０００２】
例えば、下記特許文献１において、図６に示すように、箱本体５１と開閉自在の蓋体５２とから成るワンタッチ開閉式の包装箱が開示されている。この箱本体５１の周壁は、前壁５３、一対の側壁５４及び後壁５５から形成され、蓋体５２は、箱本体５１の後壁５５の上端に繋がる天壁５６に前壁５７及び一対の側壁５８を連設し、前壁５７の裏面に側壁５８から延びる係止片５９を貼り付けて形成されている。
【０００３】
この包装箱では、箱本体５１の前壁５３の上端に連設したロック片６０を手前に折り返して、蓋体５２を箱本体５１に被せるように閉じたとき、ロック片６０の折り曲げが戻ろうとする反発力により、ロック片６０の先端縁が係止片５９の切欠部の端縁に係合して、蓋体５２が閉止状態に保持される。
【０００４】
また、蓋体５２を開く際には、蓋体５２の前壁５７を手前に引き出すか、又は、箱本体５１の前壁５３を押し込んで大きく撓ませることにより、ロック片６０と係止片５９との係合を解除する。
【０００５】
【特許文献１】実開昭６０−４７２１３号公報
【発明の開示】
【発明が解決しようとする課題】
【０００６】
ところで、上記のような包装箱では、箱の材料が板紙である場合、ロック片６０と係止片５９との係合が解除されやすく、蓋体５２を容易に開くことができる。
【０００７】
しかしながら、材料が厚みのある段ボールである場合には、ロック片６０が係止片５９に引っ掛かって、その係合が解除されにくく、蓋体５２を開きにくいという問題がある。
【０００８】
そこで、この発明は、材料が段ボールであっても、蓋体のロックを容易に解除して、内容物を取り出すことができるワンタッチ開閉式の包装箱を提供しようとするものである。
【課題を解決するための手段】
【０００９】
上記課題を解決するため、この発明は、箱本体の前壁から折り返したロック片が蓋体の前壁裏面に貼り付けた係止片に係合して、蓋体が閉止状態に保持される包装箱において、蓋体の前壁からロック片を露出させ、箱本体の前壁にロック片の両端から下方へ切込を入れると共に、その切込の下端間に基折線を入れ、また、ロック片の中間部から基折線へかけて縦方向の中折線を入れることにより、ロック片が後傾するようにし、さらに、箱本体の前壁の高さをロック片の折返部で低くなるように設定したのである。
【発明の効果】
【００１０】
この包装箱では、蓋体から露出したロック片を押圧すると、箱本体の前壁の切込間の部分と共にロック片が後傾して、ロック片と係止片との係合が解除されるので、蓋体を容易に開くことができる。
【００１１】
また、箱本体の前壁の高さを、ロック片の折返部で低くなるように設定すると、内容物を掴んで容易に取り出すことができる。
【発明を実施するための最良の形態】
【００１２】
以下、この発明の実施形態を添付図面に基づいて説明する。
【００１３】
この包装箱のブランクは、Ｅ段等の段ボールを材料とするものであり、図１に示すように、箱本体１の部分と、蓋体２の部分とから構成されている。
【００１４】
箱本体１の部分では、底壁３に前壁４、一対の側壁５及び後壁６が連設され、側壁５と後壁６とは折込片７を介して繋がり、折込片７には底壁３の角から斜めに延びる谷折線８が入れられている。側壁５の先端には蓋受片９が、前側には継代片１０がそれぞれ連設されている。
【００１５】
前壁４には、ロック片１１が設けられ、ロック片１１の両端から切込１２が入れられている。切込１２の奥部は内側へ若干湾曲し、両側の切込１２の奥部間には、押罫である基折線１３が底壁３へ向けてＶ字状に入れられている。また、ロック片１１の中間部から基折線１３の谷部へかけて、縦方向の押罫である中折線１４が入れられている。
【００１６】
前壁４の高さは、ロック片１１の部分で低くなるように設定され、ロック片１１の先端と、前壁４の先端両側部とは横方向に同じ位置に揃っている。ロック片１１の基端中間部は、底壁３側へ突片をなすように切り込まれている。
【００１７】
蓋体２の部分では、箱本体１の後壁６から繋がる天壁１５に前壁１６及び一対の側壁１７が連設され、側壁１７の前側に係止片１８が連設されている。前壁１６の先端中央部には切欠部１９が設けられている。
【００１８】
上記ブランクを組み立てて商品を梱包するには、図４に示すように、箱本体１の部分において、底壁３から前壁４及び一対の側壁５を折り曲げ、継代片１０を前壁４の裏面に貼り付け、ロック片１１を手前に折り返す。また、蓋体２の部分において、天壁１５から前壁１６及び一対の側壁１７を折り曲げて、係止片１８を前壁１６の裏面に貼り付ける。
【００１９】
そして、商品を箱本体１に収納し、折込片７を谷折線８に沿って折り込みつつ、後壁６を起立させ、蓋体２を箱本体１に被せるように閉じると、図２及び図５（ａ）に示すように、ロック片１１の両肩部が係止片１８の切欠部の端縁に係合し、蓋体２がロックされて閉止状態に保持される。
【００２０】
一方、この包装箱を開封する際には、蓋体２の切欠部１９から露出したロック片１１を押圧すると、図３及び図５（ｂ）に示すように、前壁４の切込１２間の部分が基折線１３に沿って後傾し、この部分と共に、ロック片１１が中折線１４に沿って谷形に屈曲しつつ後傾して、ロック片１１と係止片１８との係合が解除されるので、材料が段ボールであっても、図４に示すように、蓋体２を容易に開くことができる。
【００２１】
また、このように開封した状態では、前壁４の高さがロック片１１の折返部で低くなっており、また、後壁６も折込片７の反発により後方へ倒れて、箱本体１が天面から後面及び前面上部へかけて開口するので、箱本体１に商品が隙間なく収納されていても、商品を前後から掴んで容易に取り出すことができる。
【００２２】
なお、上記実施形態では、直方体状のものを示したが、六角柱状、八角柱状等の多角柱状のものにおいても、その箱本体の後壁上端に蓋体を連設し、後壁に対向する前壁からロック片１１を延出して、切込１２や基折線１３等を入れることにより、上記のように、蓋体のロックを容易に解除して内容物を取り出せる構造とすることができる。
【図面の簡単な説明】
【００２３】
【図１】この発明の実施形態に係る包装箱のブランクを示す図
【図２】同上の包装箱の封緘状態を示す斜視図
【図３】同上の開封過程を示す斜視図
【図４】同上の蓋体を開いた状態を示す斜視図
【図５】（ａ）同上の封緘状態を示す縦断側面図、（ｂ）同上の開封過程を示す縦断側面図
【図６】従来の包装箱の開封状態を示す斜視図
【符号の説明】
【００２４】
１  箱本体
２  蓋体
３  底壁
４  前壁
５  側壁
６  後壁
７  折込片
８  谷折線
９  蓋受片
１０  継代片
１１  ロック片
１２  切込
１３  基折線
１４  中折線
１５  天壁
１６  前壁
１７  側壁
１８  係止片
１９  切欠部
【図１】
2007008565.tif 000003
【図２】
2007008565.tif 000004
【図３】
2007008565.tif 000005
【図４】
2007008565.tif 000006
【図５】
2007008565.tif 000007
【図６】
2007008565.tif 000008